【手続補正書】
【提出日】平成18年2月3日(2006.2.3)
【手続補正１】
【補正対象書類名】明細書
【補正対象項目名】発明の名称
【補正方法】変更
【補正の内容】
【発明の名称】光ピックアップおよびそのアクチュエータ、情報の読出しまたは記録を行う装置
【手続補正２】
【補正対象書類名】明細書
【補正対象項目名】特許請求の範囲
【補正方法】変更
【補正の内容】
【特許請求の範囲】
【請求項１】  レンズ部材を光ディスクの径方向の内方または外方に移動するように駆動するトラックコイルを備える光ピックアップのアクチュエータにおいて、
前記トラックコイルの少なくとも一部を、前記レンズ部材の端部よりも光軸に近い位置に配置することを特徴とする光ピックアップのアクチュエータ。
【請求項２】  磁極面が対面して配置される磁石と、レンズ部材を光ディスクに近接または離反するように駆動するためのフォーカスコイルと、レンズ部材を光ディスクの径方向の内方または外方に移動するように駆動するトラックコイルとを備える光ピックアップのアクチュエータにおいて、
前記フォーカスコイルまたはトラックコイルのうちの少なくとも一方の巻線形状は、前記磁極面に臨む辺がそれぞれ磁極面に平行な辺となり、対面する辺の両端間を連結する部分の一部が径方向の外方に膨らむ形状を有することを特徴とする光ピックアップのアクチュエータ。
【請求項３】  磁極面が対面して配置される磁石と、レンズ部材を光ディスクに近接または離反するように駆動するためのフォーカスコイルと、レンズ部材を光ディスクの径方向の内方または外方に移動するように駆動するトラックコイルとを備える光ピックアップのアクチュエータにおいて、
前記トラックコイルの少なくとも一部を、前記レンズ部材の端部よりも光軸に近い位置に配置し、
前記フォーカスコイルまたはトラックコイルのうちの少なくとも一方の巻線形状は、前記磁極面に臨む辺がそれぞれ磁極面に平行な辺となり、対面する辺の両端間を連結する部分の一部が径方向の外方に膨らむ形状を有することを特徴とする光ピックアップのアクチュエータ。
【請求項４】  前記巻線形状は、六角形であることを特徴とする請求項２または３記載の光ピックアップのアクチュエータ。
【請求項５】  光ディスクに臨む側の表面に、レンズ部材の外周側の部分を、一方表面が光ディスクの表面に臨むレンズ部材の他方表面側から保持する保持部と、該保持部の径方向の内方に、レンズの光軸まわりの光路用の開口部とを有し、
該光路の周辺に、フォーカスコイル巻回用のボビン部と、該フォーカスコイルの巻線形状の辺に平行な軸線まわりにトラックコイルを巻回するトラックコイル巻回用のボビン部とを有するホルダを含むことを特徴とする光ピックアップのアクチュエータ。
【請求項６】  レンズ部材を保持するレンズホルダと、レンズ部材を光ディスクの径方向の内方または外方に移動するように駆動するトラックコイルとを備える光ピックアップのアクチュエータにおいて、
前記レンズホルダの光ディスクの径方向における外方の端部を前記レンズ部材の端部よりも光軸に近い位置に配置することを特徴とする光ピックアップのアクチュエータ。
【請求項７】  前記レンズ部材のレンズホルダに保持される部分はフランジであることを特徴とする請求項６記載の光ピックアップのアクチュエータ。
【請求項８】  レンズ部材と、該レンズ部材を光ディスクの径方向の内方または外方に移動するように駆動するトラックコイルとを備え、
前記トラックコイルの少なくとも一部が、前記レンズ部材の端部よりも光軸に近い位置に配置されていることを特徴とする光ピックアップ。
【請求項９】  レンズ部材と、磁極面が対面して配置される磁石と、該レンズ部材を光ディスクに近接または離反するように駆動するためのフォーカスコイルと、該レンズ部材を光ディスクの径方向の内方または外方に移動するように駆動するトラックコイルとを備え、
前記フォーカスコイルまたはトラックコイルのうちの少なくとも一方の巻線形状は、前記磁極面に臨む辺がそれぞれ磁極面に平行な辺となり、対面する辺の両端間を連結する部分が一部が径方向の外方に膨らむ形状を有することを特徴とする光ピックアップ。
【請求項１０】  レンズ部材と、磁極面が対面して配置される磁石と、該レンズ部材を光ディスクに近接または離反するように駆動するためのフォーカスコイルと、該レンズ部材を光ディスクの径方向の内方または外方に移動するように駆動するトラックコイルとを備え、
前記トラックコイルの少なくとも一部を、前記レンズ部材の端部よりも光軸に近い位置に配置し、
前記フォーカスコイルまたはトラックコイルのうちの少なくとも一方の巻線形状は、前記磁極面に臨む辺がそれぞれ磁極面に平行な辺となり、対面する辺の両端間を連結する部分の一部が径方向の外方に膨らむ形状を有することを特徴とする光ピックアップ。
【請求項１１】  前記巻線形状は、六角形であることを特徴とする請求項９または１０記載の光ピックアップ。
【請求項１２】  光ディスクに臨む側の表面に、該レンズ部材の外周側の部分を、一方表面が光ディスクの表面に臨むレンズ部材の他方表面側から保持する保持部と、該保持部の径方向の内方に、レンズ部材の光軸まわりの光路用の開口部とを有し、
該光路の周辺に、フォーカスコイル巻回用のボビン部と、該フォーカスコイルの巻線形状の辺に平行な軸線まわりにトラックコイルを巻回するトラックコイル巻回用のボビン部とを有するホルダを含むことを特徴とする光ピックアップ。
【請求項１３】  レンズ部材と、該レンズ部材を保持するレンズホルダと、該レンズ部材を光ディスクの径方向の内方または外方に移動するように駆動するトラックコイルとを備え、
前記レンズホルダの光ディスクの径方向における外方の端部を前記レンズ部材の端部よりも光軸に近い位置に配置することを特徴とする光ピックアップ。
【請求項１４】  前記レンズ部材のレンズホルダに保持される部分はフランジであることを特徴とする請求項１３記載の光ピックアップ。
【請求項１５】  光ディスクに対して、情報の読出しまたは記録を行う装置であって、情報の読出しまたは記録のために光を集光する光ピックアップを備え、前記光ピックアップはレンズ部材と、該レンズ部材を光ディスクの径方向の内方または外方に移動するように駆動するトラックコイルとを備え、
前記トラックコイルの少なくとも一部が、前記レンズ部材の端部よりも光軸に近い位置に配置されていることを特徴とする情報の読出しまたは記録を行う装置。
【手続補正３】
【補正対象書類名】明細書
【補正対象項目名】０００１
【補正方法】変更
【補正の内容】
【０００１】
【発明の属する技術分野】
本発明は、光ディスクに対して情報の読出しや書込みを行うために、レンズを変位させる光ピックアップおよびそのアクチュエータ、情報の読出しまたは記録を行う装置に関する。
【手続補正４】
【補正対象書類名】明細書
【補正対象項目名】００１２
【補正方法】変更
【補正の内容】
【００１２】
本発明の目的は、マグネットを小型化しても高い読取り性能の確保が可能な光ピックアップおよびそのアクチュエータ、情報の読出しまたは記録を行う装置を提供することである。
【手続補正５】
【補正対象書類名】明細書
【補正対象項目名】００１３
【補正方法】変更
【補正の内容】
【００１３】
【課題を解決するための手段】
本発明は、レンズ部材を光ディスクの径方向の内方または外方に移動するように駆動するトラックコイルを備える光ピックアップのアクチュエータにおいて、
前記トラックコイルの少なくとも一部を、前記レンズ部材の端部よりも光軸に近い位置に配置することを特徴とする光ピックアップのアクチュエータである。
【手続補正６】
【補正対象書類名】明細書
【補正対象項目名】００１４
【補正方法】変更
【補正の内容】
【００１４】
本発明に従えば、レンズ部材を光ディスクの径方向の内方または外方に移動するように駆動するためのトラックコイルが備えられる。トラックコイルの一部を前記レンズ部材の端部よりも光軸に近い位置に配置するので、レンズ部材の光軸に近くなり、磁場の中央に近い位置となって、光軸が傾斜しにくいように変位させ、高い読取り精度を確保することができる。トラックコイルをレンズ部材の光軸に近い位置に配置することができるので、光ピックアップを小型化することができ、軽量化も図ることができる。トラックコイルの配置位置を、レンズ部材の光軸まわりの光路よりも外方側とすることによって、トラックコイルによって光ピックアップでレンズを介して情報の読取りや書込を行う際の障害となるのを避けることができる。
【手続補正７】
【補正対象書類名】明細書
【補正対象項目名】００１５
【補正方法】変更
【補正の内容】
【００１５】
さらに本発明は、磁極面が対面して配置される磁石と、レンズ部材を光ディスクに近接または離反するように駆動するためのフォーカスコイルと、レンズ部材を光ディスクの径方向の内方または外方に移動するように駆動するトラックコイルとを備える光ピックアップのアクチュエータにおいて、
前記フォーカスコイルまたはトラックコイルのうちの少なくとも一方の巻線形状は、前記磁極面に臨む辺がそれぞれ磁極面に平行な辺となり、対面する辺の両端間を連結する部分の一部が径方向の外方に膨らむ形状を有することを特徴とする光ピックアップのアクチュエータである。
【手続補正８】
【補正対象書類名】明細書
【補正対象項目名】００１６
【補正方法】変更
【補正の内容】
【００１６】
本発明に従えば、レンズ部材を光ディスクに接近または離反するように駆動するためのフォーカスコイルと、光ディスクの径方向の内方または外方に移動するように駆動するトラックコイルとが備えられる。フォーカスコイルまたはトラックコイルのうちの少なくとも一方の巻線形状は、前記磁極面に臨む辺がそれぞれ磁極面に平行な辺となり、対面する辺の両端間を連結する部分の一部が径方向の外方に膨らむ形状を有する。巻線形状の長辺となる磁極面に臨む辺の部分には、各磁極面から垂直に発生する磁束が作用する。この磁束と長辺の部分を流れる電流との電磁的な相互作用で、レンズ部材を光軸方向に変位させる力が発生する。該辺の両端間を連結する部分は、その一部が径方向の外方に膨らむ形状を有する。この部分では、磁極面間に形成される磁束の方向も、磁極面間の中央に近づくにつれて外方にずれるので、ずれた磁束の方向と、該一部が径方向の外方に膨らむ巻線とは、なす角度が小さくなって平行に近くなる。磁束と電流との電磁的な相互作用は、平行に近くなることで小さくなり、レンズ部材の光軸を傾ける力を減少させて、高い読取り精度を確保することができる。
【手続補正９】
【補正対象書類名】明細書
【補正対象項目名】００１７
【補正方法】変更
【補正の内容】
【００１７】
さらに本発明は、磁極面が対面して配置される磁石と、レンズ部材を光ディスクに近接または離反するように駆動するためのフォーカスコイルと、レンズ部材を光ディスクの径方向の内方または外方に移動するように駆動するトラックコイルとを備える光ピックアップのアクチュエータにおいて、
前記トラックコイルの少なくとも一部を、前記レンズ部材の端部よりも光軸に近い位置に配置し、
前記フォーカスコイルまたはトラックコイルのうちの少なくとも一方の巻線形状は、前記磁極面に臨む辺がそれぞれ磁極面に平行な辺となり、対面する辺の両端間を連結する部分の一部が径方向の外方に膨らむ形状を有することを特徴とする光ピックアップのアクチュエータである。
【手続補正１０】
【補正対象書類名】明細書
【補正対象項目名】００１８
【補正方法】変更
【補正の内容】
【００１８】
本発明に従えば、レンズ部材を光ディスクの径方向の内方または外方に移動するように駆動するためのトラックコイルと、レンズ部材を光ディスクに接近または離反するように駆動するためのフォーカスコイルとが備えられる。
【手続補正１１】
【補正対象書類名】明細書
【補正対象項目名】００１９
【補正方法】変更
【補正の内容】
【００１９】
トラックコイルの一部を前記レンズ部材の端部よりも光軸に近い位置に配置するので、レンズ部材の光軸に近くなり、磁場の中央に近い位置となって、光軸が傾斜しにくいように変位させ、高い読取り精度を確保することができる。トラックコイルをレンズ部材の光軸に近い位置に配置することができるので、光ピックアップを小型化することができ、軽量化も図ることができる。トラックコイルの配置位置を、レンズの光軸まわりの光路よりも外方側とすることによって、トラックコイルによって光ピックアップでレンズを介して情報の読取りや書込を行う際の障害となるのを避けることができる。
【手続補正１２】
【補正対象書類名】明細書
【補正対象項目名】００２０
【補正方法】変更
【補正の内容】
【００２０】
フォーカスコイルまたはトラックコイルのうちの少なくとも一方は、巻線形状が、前記磁極面に臨む辺がそれぞれ磁極面に平行な辺となり、対面する辺の両端間を連結する部分の一部が径方向の外方に膨らむ。巻線形状の長辺となる磁極面に臨む辺の部分には、各磁極面から垂直に発生する磁束が作用する。この磁束と長辺の部分を流れる電流との電磁的な相互作用で、レンズ部材を光軸方向に変位させる力が発生する。該辺の両端間を連結する部分は、その一部が径方向の外方に膨らむ形状を有する。この部分では、磁極面間に形成される磁束の方向も、磁極面間の中央に近づくにつれて外方にずれるので、ずれた磁束の方向と、該一部が径方向の外方に膨らむ巻線とは、なす角度が小さくなって平行に近くなる。磁束と電流との電磁的な相互作用は、平行に近くなることで小さくなり、レンズ部材の光軸を傾ける力を減少させて、高い読取り精度を確保することができる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
また本発明は、前記巻線形状は、六角形であることを特徴とする。
【手続補正１６】
【補正対象書類名】明細書
【補正対象項目名】００２４
【補正方法】変更
【補正の内容】
【００２４】
本発明に従えば、フォーカスコイルまたはトラックコイルのうちの少なくとも一方では、巻線形状の六角形の長辺の部分で磁極面から発生する磁束と垂直に電磁的な相互作用を行ってレンズ部材を駆動する力を効率良く発生し、長辺の両端を連結する部分で、彎曲する磁束に合わせて傾斜した直線部分で磁束との電磁的な相互作用で発生する不要な力を低減し、レンズ部材の光軸の傾きを小さくすることができる。
【手続補正１７】
【補正対象書類名】明細書
【補正対象項目名】００２５
【補正方法】変更
【補正の内容】
【００２５】
また本発明は、光ディスクに臨む側の表面に、レンズ部材の外周側の部分を、一方表面が光ディスクの表面に臨むレンズ部材の他方表面側から保持する保持部と、該保持部の径方向の内方に、レンズの光軸まわりの光路用の開口部とを有し、
該光路の周辺に、フォーカスコイル巻回用のボビン部と、該フォーカスコイルの巻線形状の辺に平行な軸線まわりにトラックコイルを巻回するトラックコイル巻回用のボビン部とを有するホルダを含むことを特徴とする光ピックアップのアクチュエータである。
【手続補正１８】
【補正対象書類名】明細書
【補正対象項目名】００２６
【補正方法】変更
【補正の内容】
【００２６】
本発明に従えば、ホルダの保持部でレンズ部材の外周側の部分を保持し、フォーカスコイル巻回用のボビン部にフォーカスコイルを巻回し、トラックコイル巻回用のボビン部にトラックコイルを巻回すれば、小型でレンズ部材の光軸の傾きが小さな光ピックアップを形成することができる。
また本発明は、レンズ部材を保持するレンズホルダと、レンズ部材を光ディスクの径方向の内方または外方に移動するように駆動するトラックコイルとを備える光ピックアップのアクチュエータにおいて、
前記レンズホルダの光ディスクの径方向における外方の端部を前記レンズ部材の端部よりも光軸に近い位置に配置することを特徴とする光ピックアップのアクチュエータである。
また本発明は、前記レンズ部材のレンズホルダに保持される部分はフランジであることを特徴とする。
また本発明は、レンズ部材と、該レンズ部材を光ディスクの径方向の内方または外方に移動するように駆動するトラックコイルとを備え、
前記トラックコイルの少なくとも一部が、前記レンズ部材の端部よりも光軸に近い位置に配置されていることを特徴とする光ピックアップである。
本発明に従えば、レンズ部材を保持するレンズホルダと、レンズ部材を光ディスクの径方向の内方または外方に移動するように駆動するトラックコイルとが備えられる。前記レンズホルダの光ディスクの径方向における外方の端部が前記レンズ部材の端部よりも前記レンズ部材の光軸に近い位置に配置され、レンズ部材のフランジがレンズホルダによって保持される。これによって、トラックコイルのレンズホルダ側である内側の部分をレンズ部材の端部よりも光軸に近い位置に配置させることができ、光軸が傾斜しにくいように変位させ、高い読取り精度を確保することができる。トラックコイルをレンズ部材の光軸に近い位置に配置することができるので、光ピックアップを小型化することができ、軽量化も図ることができる。またトラックコイルはフランジの部分で重複するように配置されるので、レンズ部材の光学的な作用に対しては障害とならない範囲で、トラックコイルを小型化することができる。
また本発明は、レンズ部材と、磁極面が対面して配置される磁石と、該レンズ部材を光ディスクに近接または離反するように駆動するためのフォーカスコイルと、該レンズ部材を光ディスクの径方向の内方または外方に移動するように駆動するトラックコイルとを備え、
前記フォーカスコイルまたはトラックコイルのうちの少なくとも一方の巻線形状は、前記磁極面に臨む辺がそれぞれ磁極面に平行な辺となり、対面する辺の両端間を連結する部分が一部が径方向の外方に膨らむ形状を有することを特徴とする光ピックアップである。
また本発明は、レンズ部材と、磁極面が対面して配置される磁石と、該レンズ部材を光ディスクに近接または離反するように駆動するためのフォーカスコイルと、該レンズ部材を光ディスクの径方向の内方または外方に移動するように駆動するトラックコイルとを備え、
前記トラックコイルの少なくとも一部を、前記レンズ部材の端部よりも光軸に近い位置に配置し、
前記フォーカスコイルまたはトラックコイルのうちの少なくとも一方の巻線形状は、前記磁極面に臨む辺がそれぞれ磁極面に平行な辺となり、対面する辺の両端間を連結する部分の一部が径方向の外方に膨らむ形状を有することを特徴とする光ピックアップである。
また本発明は、前記巻線形状は、六角形であることを特徴とする。
また本発明は、光ディスクに臨む側の表面に、該レンズ部材の外周側の部分を、一方表面が光ディスクの表面に臨むレンズ部材の他方表面側から保持する保持部と、該保持部の径方向の内方に、レンズ部材の光軸まわりの光路用の開口部とを有し、
該光路の周辺に、フォーカスコイル巻回用のボビン部と、該フォーカスコイルの巻線形状の辺に平行な軸線まわりにトラックコイルを巻回するトラックコイル巻回用のボビン部とを有するホルダを含むことを特徴とする光ピックアップである。
また本発明は、レンズ部材と、該レンズ部材を保持するレンズホルダと、該レンズ部材を光ディスクの径方向の内方または外方に移動するように駆動するトラックコイルとを備え、
前記レンズホルダの光ディスクの径方向における外方の端部を前記レンズ部材の端部よりも光軸に近い位置に配置することを特徴とする光ピックアップである。
また本発明は、前記レンズ部材のレンズホルダに保持される部分はフランジであることを特徴とする。
また本発明は、光ディスクに対して、情報の読出しまたは記録を行う装置であって、情報の読出しまたは記録のために光を集光する光ピックアップを備え、前記光ピックアップはレンズ部材と、該レンズ部材を光ディスクの径方向の内方または外方に移動するように駆動するトラックコイルとを備え、
前記トラックコイルの少なくとも一部が、前記レンズ部材の端部よりも光軸に近い位置に配置されていることを特徴とする情報の読出しまたは記録を行う装置である。
【手続補正１９】
【補正対象書類名】明細書
【補正対象項目名】００３６
【補正方法】変更
【補正の内容】
【００３６】
【発明の効果】
以上のように本発明によれば、トラックコイルの少なくとも一部を、レンズ部材の端部よりも光軸に近い位置に配置するので、トラックコイルがレンズ部材の光軸に近くなり、磁場の中央に近い位置となって、光軸が傾斜しにくいように変位させ、高い読取り精度を確保することができる。トラックコイルをレンズ部材の光軸に近い位置に配置することができるので、光ピックアップを小型化することができ、軽量化も図ることができる。
【手続補正２０】
【補正対象書類名】明細書
【補正対象項目名】００３７
【補正方法】変更
【補正の内容】
【００３７】
さらに本発明によれば、フォーカスコイルまたはトラックコイルのうちの少なくとも一方の巻線形状は、磁極面に臨む辺がそれぞれ磁極面に平行な辺となり、対面する辺の両端間を連結する部分の一部が径方向の外方に膨らむ形状を有するので、磁極面間で磁束の向きがずれる部分で発生するレンズ部材の光軸を傾ける力を減少させて、高い読取り精度を確保することができる。
【手続補正２１】
【補正対象書類名】明細書
【補正対象項目名】００３８
【補正方法】変更
【補正の内容】
【００３８】
さらに本発明によれば、トラックコイルの少なくとも一部がレンズ部材の端部よりも光軸に近い位置に配置しているので、レンズ部材の光軸に近くなり、磁場の中央に近い位置となって、光軸が傾斜しにくいように変位させ、高い読取り精度を確保することができる。トラックコイルをレンズ部材の光軸に近い位置に配置することができるので、光ピックアップを小型化することができ、軽量化も図ることができる。フォーカスコイルまたはトラックコイルのうちの少なくとも一方の巻線形状は、磁極面に臨む辺がそれぞれ磁極面に平行な辺となり、対面する辺の両端間を連結する部分の一部が径方向の外方に膨らむので、ずれる磁束との電磁的な相互作用でレンズ部材の光軸を傾ける力を減少させて、高い読取り精度を確保することができる。
【手続補正２２】
【補正対象書類名】明細書
【補正対象項目名】００３９
【補正方法】変更
【補正の内容】
【００３９】
また本発明によれば、巻線形状が六角形であるので、フォーカスコイルまたはトラックコイルのうちの少なくとも一方では、巻線形状の六角形の長辺の部分で磁極面から発生する磁束と垂直に電磁的な相互作用を行ってレンズ部材を駆動する力を効率良く発生し、長辺の両端を連結する部分で、彎曲する磁束に合わせて傾斜した直線部分で磁束との電磁的な相互作用で発生する不要な力を低減し、レンズ部材の光軸の傾きを小さくすることができる。
【手続補正２３】
【補正対象書類名】明細書
【補正対象項目名】００４０
【補正方法】変更
【補正の内容】
【００４０】
また本発明によれば、ホルダの保持部でレンズ部材の外周側の部分を保持し、フォーカスコイル巻回用のボビン部にフォーカスコイルを巻回し、トラックコイル巻回用のボビン部にトラックコイルを巻回すれば、小型でレンズ部材の光軸の傾きが小さな光ピックアップを形成することができる。
【手続補正２４】
【補正対象書類名】明細書
【補正対象項目名】００４１
【補正方法】変更
【補正の内容】
【００４１】
また本発明によれば、レンズ部材を保持するレンズホルダと、レンズ部材を光ディスクの径方向の内方または外方に移動するように駆動するトラックコイルとが備えられる。前記レンズホルダの光ディスクの径方向における外方の端部が前記レンズ部材の端部よりも前記レンズ部材の光軸に近い位置に配置され、レンズ部材のフランジがレンズホルダによって保持される。これによって、トラックコイルのレンズホルダ側である内側の部分をレンズ部材の端部よりも光軸に近い位置に配置させることができ、光軸が傾斜しにくいように変位させ、高い読取り精度を確保することができる。トラックコイルをレンズ部材の光軸に近い位置に配置することができるので、光ピックアップを小型化することができ、軽量化も図ることができる。またトラックコイルはフランジの部分で重複するように配置されるので、レンズ部材の光学的な作用に対しては障害とならない範囲で、トラックコイルを小型化することができる。